(57)【要約】
【課題】　多種類の異なる形状の管材に適用可能で、隣り合う棚板を等高に架設でき、高級感があり、便利な組立式ラックの提供。
【解決手段】　複数の支柱、複数の棚板、及び棚板の角を掛けるのに用いられる複数のフックを具え、該支柱にフックを内部で位置決めできる１列或いは２列以上のフック孔が設けられている。該フックに塾塊が組み合わされ、該塾塊の一面が支柱に当接し、もう一面は斜面とされている。該棚板の角部には嵌合部材が設けられ、該嵌合部材は該フックに掛けられる。該嵌合部材の斜面で塾塊の斜面を押圧する方式により、棚板、フック、支柱間に相互に締めつける作用が形成され、これにより強固な組立構造が形成される。
【選択図】　　　　図２
0003099999.tif 000002
【実用新案登録請求の範囲】
【請求項１】
　複数の支柱、複数の棚板、棚板の角を係止するための複数のフック、及びフックに組み合わされる塾塊を具え、
　該支柱に少なくとも１列のフック孔が設けられて該フックを内部で位置決めするのに供され、
　該棚板の角部に嵌合部材が設けられ、該嵌合部材は外側及び下方がいずれも開口状とされ、
　該フックは、その一側に該支柱のフック孔内に進入可能な二つの係止部が設けられ、外部に露出した部分にフック部が設けられて棚板を掛けるのに供され、
　該塾塊は、その一面が該支柱に当接させられ、反対の一面が上から下に漸次拡大する斜面とされ、該塾塊にフックの係止部を通過させる溝が設けられ、これにより該フックに組み合わされ、
　該棚板の各角部の嵌合部材が該フックのフック部に掛けられ、該嵌合部材の内側に設けられた斜面が該塾塊を圧迫し、該嵌合部材が該フックを係止して引っ張り、該支柱、塾塊、フック、嵌合部材間に緊密な固定状態が形成されて、棚板が安定して架設されることを特徴とする、組立式ラック。
【請求項２】
　前記フックのフック部が係止溝とされ、嵌合部材に該係止溝に対応する挿入片が設置されたことを特徴とする、請求項１記載の組立式ラック。
【請求項３】
　前記フックのフック部が直立するガイドレールとされ、嵌合部材に該ガイドレールに対応するガイド溝が設けられたことを特徴とする、請求項１記載の組立式ラック。
【請求項４】
　前記嵌合部材の両面に内向きに加圧する方式でそれぞれ凸部が形成され、該凸部の外側面が斜面とされ、その内側面と該嵌合部材の内壁との間にガイド溝が形成されたことを特徴とする、請求項１記載の組立式ラック。
【請求項５】
　前記嵌合部材の上面に長孔が設けられ、該長孔の内縁に下向きに突出する凸フックが設けられ、フックの上縁にあって該嵌合部材の凸フックに対応する位置に凹口が設けられ、該嵌合部材が套設され位置決めされる時、該凸フックが該凹口内に嵌合し、該フックの上縁が該嵌合部材の長孔内に係合することを特徴とする、請求項１記載の組立式ラック。
【請求項６】
　前記塾塊内に金属片が埋め込まれ、該金属片が該塾塊の内面にあって凸点を形成し、該塾塊が押圧され位置決めされる時、該凸点が支柱のフック孔内に進入すると共にフック孔の上縁に接近することを特徴とする、請求項１記載の組立式ラック。
【請求項７】
　前記塾塊の両側面に形成される幅が、上から下に漸次増加することを特徴とする、請求項１記載の組立式ラック。
【考案の詳細な説明】
【技術分野】
【０００１】
　本考案は一種の組立式ラックに係り、特に、工具を使用せずに組み立てることができ、多種類の異なる形状の管材に適用可能で、組立式ラックの組立制限を減らし、使用上、変化に富み、便利である組立式ラックに関する。
【背景技術】
【０００２】
　組立式ラックは組立、分解、運送が容易で、ストックしやすい等の多くの長所を有するため、家庭、オフィス、開放式売り場等で不可欠の棚となっている。
　早期の組立式ラックはネジ部品で架体を組み立て、棚を架体に設置してなる。このような組立式ラックの分解、組立には工具の使用が必要で、操作上面倒である。このため工具不要で組み立てられる組立式ラックが出現し、そのうち竹節式のラックが代表的なものである。特許文献１〜８はいずれもこのような竹節式のラックに関するものである。
【０００３】
　この竹節式ラックは複数の水平環状溝を具えた支柱と、環状溝部分に位置決めできるテーパ状の挟持片とを具えている。棚板はその各角部の嵌め輪のテーパ状内径を以て、該挟持片の外周を緊密に結束することで位置決めされる。このような竹節式ラックは使用上、克服できない以下の二つの問題を有している。
　１．各棚板の角部の嵌め輪は支柱の上端より挿入しなければならず、組立上の困難度が増す。特に、棚板の交換や、いずれかの棚板の位置を変更したい時に、移動する必要のない棚板までも取り外さねばならず、運用上、非常に不便である。
　２．支柱の両側に棚板を組み付けたい時、隣り合う棚板を等高部分に組み付けることができず、高さの差が形成され、このため組立後のラックの外観が悪くなる。
【０００４】
【特許文献１】米国特許第５，６７６，２６３号明細書
【特許文献２】米国特許第５，３０３，６４５号明細書
【特許文献３】米国特許第５，１７４，６７６号明細書
【特許文献４】米国特許第４，９９１，７２５号明細書
【特許文献５】米国特許第４，７９９，８１８号明細書
【特許文献６】米国特許第４，５９５，１０７号明細書
【特許文献７】米国特許第４，５４６，８８７号明細書
【特許文献８】米国特許第４，７６３，７９９号明細書
【考案の開示】
【考案が解決しようとする課題】
【０００５】
　本考案は一種の組立式ラックを提供することを目的とし、それは、多種類の異なる形状の管材に適用可能で、隣り合う棚板を等高に架設でき、高級感があり、便利な組立式ラックであるものとする。
【課題を解決するための手段】
【０００６】
　請求項１の考案は、複数の支柱、複数の棚板、棚板の角を係止するための複数のフック、及びフックに組み合わされる塾塊を具え、
　該支柱に少なくとも１列のフック孔が設けられて該フックを内部で位置決めするのに供され、
　該棚板の角部に嵌合部材が設けられ、該嵌合部材は外側及び下方がいずれも開口状とされ、
　該フックは、その一側に該支柱のフック孔内に進入可能な二つの係止部が設けられ、外部に露出した部分にフック部が設けられて棚板を掛けるのに供され、
　該塾塊は、その一面が該支柱に当接させられ、反対の一面が上から下に漸次拡大する斜面とされ、該塾塊にフックの係止部を通過させる溝が設けられ、これにより該フックに組み合わされ、
　該棚板の各角部の嵌合部材が該フックのフック部に掛けられ、該嵌合部材の内側に設けられた斜面が該塾塊を圧迫し、該嵌合部材が該フックを係止して引っ張り、該支柱、塾塊、フック、嵌合部材間に緊密な固定状態が形成されて、棚板が安定して架設されることを特徴とする、組立式ラックとしている。
　請求項２の考案は、前記フックのフック部が係止溝とされ、嵌合部材に該係止溝に対応する挿入片が設置されたことを特徴とする、請求項１記載の組立式ラックとしている。
　請求項３の考案は、前記フックのフック部が直立するガイドレールとされ、嵌合部材に該ガイドレールに対応するガイド溝が設けられたことを特徴とする、請求項１記載の組立式ラックとしている。
　請求項４の考案は、前記嵌合部材の両面に内向きに加圧する方式でそれぞれ凸部が形成され、該凸部の外側面が斜面とされ、その内側面と該嵌合部材の内壁との間にガイド溝が形成されたことを特徴とする、請求項１記載の組立式ラックとしている。
　請求項５の考案は、前記嵌合部材の上面に長孔が設けられ、該長孔の内縁に下向きに突出する凸フックが設けられ、フックの上縁にあって該嵌合部材の凸フックに対応する位置に凹口が設けられ、該嵌合部材が套設され位置決めされる時、該凸フックが該凹口内に嵌合し、該フックの上縁が該嵌合部材の長孔内に係合することを特徴とする、請求項１記載の組立式ラックとしている。
　請求項６の考案は、前記塾塊内に金属片が埋め込まれ、該金属片が該塾塊の内面にあって凸点を形成し、該塾塊が押圧され位置決めされる時、該凸点が支柱のフック孔内に進入すると共にフック孔の上縁に接近することを特徴とする、請求項１記載の組立式ラックとしている。
　請求項７の考案は、前記塾塊の両側面に形成される幅が、上から下に漸次増加することを特徴とする、請求項１記載の組立式ラックとしている。
【考案の効果】
【０００７】
　本考案の提供する組立式ラックは、その適用できる支柱形状に制限がなく、棚板の組み付けに対する制限も低く、消費者が個人の意識により随意に棚板を組み付けることができる。ゆえに本考案の構造設計はこのような組立式ラックの使用範囲を更に広げることができる。
【考案を実施するための最良の形態】
【０００８】
　本考案の提供する組立式ラックは、複数の支柱、複数の棚板、及び棚板の角を掛けるのに用いられる複数のフックを具え、該支柱にフックを内部で位置決めできる１列或いは２列以上のフック孔が設けられている。該フックに塾塊が組み合わされ、該塾塊の一面が支柱に当接し、もう一面は斜面とされている。該棚板の角部には嵌合部材が設けられ、該嵌合部材は該フックに掛けられる。該嵌合部材の斜面で塾塊の斜面を押圧する方式により、棚板、フック、支柱間に相互に締めつける作用が形成され、これにより強固な組立構造が形成される。
【０００９】
　上記塾塊と嵌合部材の接触面間が斜面当接方式により押圧の作用を発生するものとされる。
【００１０】
　上記嵌合部材の内面が該塾塊に対して締めつけ作用を発生し、該塾塊が締めつけられる時、フックに対して締めつけ作用を発生して、嵌合部材、塾塊及びフックの間に緊密な接合が形成される。
【００１１】
　上記塾塊がフックに対して水平方向の移動可能とされ、フックを支柱に掛けるのに便利であり、また、塾塊が圧迫される時に僅かな移動を発生することができる。
【００１２】
　上記支柱の両側のフック孔は、そのいずれにもフックを掛けることができ、棚板の架設に供される。ゆえに隣り合う棚板を同じ高さに架設できる。
【００１３】
　上記支柱の断面形状は、円形、矩形、三角形、楕円、或いはその他のラックの支柱となりうる任意の形状とされうる。
【実施例１】
【００１４】
　図１、２、３に示されるように、本考案の組立式ラックは、複数の支柱１０、複数の棚板２０、及び棚板２０の角を掛けるのに用いられる複数のフック３０、及びフック３０に組み合わされる塾塊４０を具えている。該支柱１０にフック３０に１列或いは２列以上のフック孔１１が設けられてフック３０を内部で位置決めするのに供される。該フック３０に支柱１０のフック孔１１内に進入可能な係止部３１が設けられ、外部に露出した部分はフック部とされて棚板を掛けるのに供され、係止溝３２が設けられている。該塾塊４０の一面は支柱１０に当接し、もう一面は上から下に漸次拡大する斜面４１とされている。該塾塊４０にフック３０の係止部３１を通すための二つの溝が設けられ、これにより塾塊４０がフック３０に組み合わされる。該棚板２０の角部には嵌合部材５０が設けられ、該嵌合部材５０は該フック３０に掛けられる。該嵌合部材５０は外側及び下方がいずれも開口状とされ、その内側に鉛直状の挿入片５１が設けられている。図４、５に示されるように、嵌合部材５０の内部には塾塊４０の斜面４１との当接に供される斜面５２が設けられている。該嵌合部材５０はその内部の挿入片５１が該フック３０の係止溝３２内に挿入されて、その斜面５２で該塾塊４０の斜面５２を圧迫し、図６に示されるように、これにより塾塊４０の一面を支柱１０表面に緊密に当接さあせる。棚板２０の四つ（或いは三つ）の角部の嵌合部材５０がいずれも対応するフック３０、塾塊４０、支柱１０と上述の結合状態を形成する時、該棚板２０が各支柱１０の間に組み付けられ、並びにラックの組立構造が形成される。
【００１５】
　該嵌合部材５０の内部の斜面５２は該挿入片５１の両側にある。該嵌合部材５０が塾塊４０、フック３０外に套設され並びに徐々に下向きに移動させられる時、その内部の斜面５２は塾塊４０の斜面５２に対してますます大きな押圧力を発生し、これにより塾塊４０が徐々に圧迫されて支柱１０の外壁面に圧接される。これと同時に、該嵌合部材５０が徐々に該支柱１０を押し離し、該嵌合部材５０内の挿入片５１が該フック３０の係止溝３２内に係止されていることにより、該フック３０が引き締められる。即ち、嵌合部材５０、フック３０、塾塊４０、支柱１０間に緊密な連結構造が形成される。
【００１６】
　上述の嵌合部材５０の上面には長孔５３が形成され、該長孔５３の内縁に下向きに突出する凸フック５４が形成されている。該フック３０の上縁の該嵌合部材５０の凸フック５４に対応する位置には凹口３３が設けられている。該嵌合部材５０が定位に嵌合される時、該凸フック５４が該凹口３３内に係合する。また、該フック３０の上縁が該嵌合部材５０の長孔５３内に嵌入する。該凸フック５４が該凹口３３に嵌入する設計は、嵌合部材５０とフック３０間の係合点を増加し、負荷を分担する。また該フック３０の上端の長孔５３内への嵌入により、嵌合部材５０のぐらつきが防止される。
【００１７】
　上述の棚板２０は各角部の嵌合部材５０により該フック３０、塾塊４０外部に套設されて、各支柱１０に固定される。該塾塊４０、フック３０は該支柱１０の一側に位置し、ゆえに該支柱１０のもう一側にもフック孔１１を設けてフック３０を掛けて棚板２０を架設することができる。ゆえに支柱１０の両側の等高位置に棚板２０を架設でき、図７に示されるように、組合せ後のラックの全体造形を比較的協調性があり、外観がよいものとでき、消費者を満足させることができる。
【００１８】
　該塾塊４０の壁面は該支柱１０の外壁と係合する形状とされ、これにより塾塊４０が押圧される時に支柱１０と緊密に接合される。該塾塊４０はプラスチック材料で形成され、僅かに圧縮性を有し、これにより押圧を受ける時に僅かに変形を発生して緊迫固定の作用を達成する。該塾塊４０内には金属片４４が埋め込まれ、該金属片４４は該塾塊４０の内面にあって凸点４５を形成し、該塾塊４０が押圧され位置決めされる時、該凸点４５が支柱１０のフック孔１１内に進入し、並びに該フック孔１１の上縁に接近する。即ち該棚板２０を取り外す時に、該嵌合部材５０を上向きに持ち上げる動作に連動して塾塊４０が動くことがなく、塾塊４０とフック３０が支柱１０に掛けられた状態を維持する。また、該塾塊４０の両側面に形成される幅は、上から下に漸次増加し、嵌合部材５０を嵌合するのに便利である。
【００１９】
　該支柱１０の、フック３０の係止部３１が挿入されるフック孔１１は、その下端の幅が該係止部３１の厚さよりやや小さいものとされ、これによりフック３０が圧迫される時、該係止部３１がフック孔１１内に緊密に組み合わされ、組合せ後の構造強度と安定性を増すことができる。
【実施例２】
【００２０】
　図９から図１２は本考案のもう一つの実施例を示す。そのうち、フック３０’の一端には直立状のガイドレール３２’が設けられて、前述のフック３０の係止溝３２の代わりとされている。該嵌合部材５０’の両面に内向きに加圧する方式でそれぞれ凸部５１’が形成され、該凸部５１’の外側面５２’は斜面とされて、塾塊４０の斜面４１と当接して該塾塊４０を圧迫するのに供される。該凸部５１’の内側面５１１’と該嵌合部材５０’の内壁の間にはガイド溝５１２’が形成されて、フック３０’のガイドレール３２’の導入に供される。即ち嵌合部材５０’が該塾塊４０、フック３０’外部に套設される時、該凸部５１’の斜面５２’が塾塊４０を押圧し、該凸部５１’の内側面５１１’が該フック３０’のガイドレール３２’の内縁に係止され、相互間に緊密固定の作用が形成される。
【００２１】
　上述の支柱１０、１０’は、前述の実施例中の円形管、方形管のほか、三角形管、楕円管、或いはその他のラックの支柱たりうる各種形状の管体とされうる。上述の棚板２０は網棚、或いは上面に木板２１’を固定した棚板２０’とすることができる。
【図面の簡単な説明】
【００２２】
【図１】本考案の組立式ラックの外観図である。
【図２】本考案の支柱、塾塊、フック、棚板の分解図である。
【図３】図２の実施例中の塾塊とフックが組み合わされた状態表示図である。
【図４】本考案中の嵌合部材の底面図である。
【図５】本考案の棚板を支柱に組み付けた状態の断面図である。
【図６】図５に示される状態の別の断面図である。
【図７】本考案の支柱の両側に棚板を等高に架設した状態の正面図である。
【図８】本考案のフックのもう一つの実施例図である。
【図９】本考案の嵌合部材のもう一つの実施例図である。
【図１０】図８、９に示されるフック、嵌合部材と支柱の組立動作図である。
【図１１】図８、９に示されるフック、嵌合部材と支柱の組立動作図である。
【図１２】本考案の別の実施例の組合せ後の断面図である。
【符号の説明】
【００２３】
１０　支柱　　　　　　　　　　１１　フック孔
２０　棚板
３０　フック
３１　係止部　　　　　　　　　３２　係止溝
４０　塾塊
４１　斜面　　　　　　　　　　４２　溝
４３　溝　　　　　　　　　　　４４　金属片
４５　凸点
５０　嵌合部材
５１　挿入片　　　　　　　　　５２　斜面
５３　長孔　　　　　　　　　　５４　凸フック
１０’　支柱
２０’　棚板　　　　　　　　　２１’　木板
３０’　フック　　　　　　　　３２’　ガイドレール
５０’　嵌合部材　　　　　　　５１’　凸部
５１１’　内側面　　　　　　　５１２’　ガイド溝
５２’　斜面
【図１】
0003099999.tif 000003
【図２】
0003099999.tif 000004
【図３】
0003099999.tif 000005
【図４】
0003099999.tif 000006
【図５】
0003099999.tif 000007
【図６】
0003099999.tif 000008
【図７】
0003099999.tif 000009
【図８】
0003099999.tif 000010
【図９】
0003099999.tif 000011
【図１０】
0003099999.tif 000012
【図１１】
0003099999.tif 000013
【図１２】
0003099999.tif 000014